(57)【要約】      （修正有）【課題】左右のイヤホン本体の識別容易なステレオタイプのイヤホンを提供する。【解決手段】左右の耳に装着する一対のイヤホン本体１２，１４を備え、この一対のイヤホン本体のそれぞれに、ケーブル１６，１８を介して音響機器から電気信号を伝達し、音を再生するステレオタイプのイヤホンであって、一対のイヤホン本体は、それぞれ音が放出される前面２２ａ，２４ａに対して反対側に、互いに同様な外形形状を形成する背面２２ｂ，２４ｂを有し、どちらか一方の背面上に識別突起２６を有する。【選択図】図１
0003191798.tif 000002
【実用新案登録請求の範囲】
【請求項１】
左右の耳に装着する左右一対のイヤホン本体を備え、この一対のイヤホン本体のそれぞれに、イヤホン本体に延びるケーブルを介して音響機器から電気信号を伝達し、音を再生するステレオタイプのイヤホンであって、
前記左右一対のイヤホン本体は、それぞれ音が放出される前面に対して反対側に、互いに同様な外形形状を形成する背面を有し、
前記左右一対のイヤホン本体の一方が、前記前面から離隔する方向に突出する識別突起を前記背面上に有することを特徴とするイヤホン。
【請求項２】
前記識別突起は、前記背面からの突出方向に沿う寸法が、これと交差する方向に沿う寸法よりも大きい細長形状を有し、この突出方向に沿う延長線が、イヤホン本体内で前記ケーブルの延長線と交差する方向に配置されることを特徴とする請求項１に記載のイヤホン。
【請求項３】
前記識別突起は、前記背面上の部位で、前記識別突起を囲む背面との間に、この背面内で最も大きな段差を形成することを特徴とする請求項１に記載のイヤホン。
【請求項４】
前記識別突起は、イヤホン本体の一方にのみ、イヤホン本体と一体構造に形成されることを特徴とする請求項１から３のいずれか１つに記載のイヤホン。
【請求項５】
左右の耳に装着され、音が放出される前面に対して反対側背面に、互いに同様な外形形状が形成される左右一対のイヤホン本体を備え、この一対のイヤホン本体のそれぞれに、イヤホン本体に延びるケーブルを介して音響機器から電気信号を伝達し、音を再生するステレオタイプのイヤホンと、
それぞれ色と外形との少なくとも一方が相違し、前記背面に個別に取付け可能な複数の識別突起からなる突起セットと、を具備し、
前記左右一対のイヤホン本体の一方が、前記突起セットから選択した１の識別突起を前記背面上に、前記前面から離隔する方向に突出させて取付けられることを特徴とするイヤホンセット。
【考案の詳細な説明】
【技術分野】
【０００１】
本考案は、ステレオタイプのイヤホンに関する。
【背景技術】
【０００２】
一般に、ステレオタイプのイヤホンは、左右の耳に取付けられる左右一対のイヤホン本体を備え、この一対のイヤホン本体のそれぞれに、イヤホン本体から延びるケーブルを介して音響機器から電気信号を伝達し、この電気信号でイヤホン本体内の振動板を振動することにより、音を再生している。
【０００３】
ステレオタイプのイヤホンは、種々のタイプのものが開発されている。例えばその形状から、イヤホン本体を小さなスピーカ状に形成したインナーイヤー型や、インナーイヤー型よりも耳の外耳道に深く差し込んで耳栓のように使用するカナル型等がある。
【０００４】
いずれも、イヤホン本体は右耳に装着する右耳用と左耳に装着する左耳用とに区別されており、このような右耳用と左耳用のイヤホン本体を左右の耳に正しく装着することにより、視聴する者には、音源の方向が感得できるような立体感覚が頭の中に形成される。
【考案の概要】
【考案が解決しようとする課題】
【０００５】
このようなステレオタイプのイヤホンは、左右のイヤホン本体の外形形状が互いに極めて近似しており、左右のイヤホン本体を直接目視して比較しなければ、いずれの耳用のものか判断することは困難である。このため、急いで装着しようとすると、本来取付けるべき耳とは異なる耳に誤って装着することもある。
【０００６】
装着の際の違和感から誤りを認識し、正しい位置に付け替えることもあり、この場合には面倒で煩わしい操作を要し、音楽を視聴する興がそがれる。また、誤った状態を気付かずに音楽を視聴すると、頭のなかでは、正しい立体感覚が形成されず、本来の音楽を楽しむことはできない。
【０００７】
本考案は、このような事情に基づいてなされたもので、左右のイヤホン本体を直接対比して比較することなく容易に識別できるとともに、その操作性に優れたステレオタイプのイヤホンを提供することを目的とする。
【課題を解決するための手段】
【０００８】
上記目的を達成する本考案のイヤホンは、左右の耳に装着する左右一対のイヤホン本体を備え、この一対のイヤホン本体のそれぞれに、イヤホン本体に延びるケーブルを介して音響機器から電気信号を伝達し、音を再生するステレオタイプのイヤホンであって、前記左右一対のイヤホン本体は、それぞれ音が放出される前面に対して反対側に、互いに同様な外形形状を形成する背面を有し、前記左右一対のイヤホン本体の一方が、前記前面から離隔する方向に突出する識別突起を前記背面上に有することを特徴とする。
【０００９】
前記識別突起は、前記背面からの突出方向に沿う寸法が、これと交差する方向に沿う寸法よりも大きい細長形状を有し、この突出方向に沿う延長線が、イヤホン本体内で前記ケーブルの延長線と交差する方向に配置されるものであってもよい。
【００１０】
また、前記識別突起は、前記背面上の部位で、前記識別突起を囲む背面との間に、この背面内で最も大きな段差を形成することが好ましい。
【００１１】
前記識別突起は、イヤホン本体の一方にのみ、イヤホン本体と一体構造に形成されるものであってもよい。
【００１２】
更に、本考案によると、左右の耳に装着され、音が放出される前面に対して反対側背面に、互いに同様な外形形状が形成される左右一対のイヤホン本体を備え、この一対のイヤホン本体のそれぞれに、イヤホン本体に延びるケーブルを介して音響機器から電気信号を伝達し、音を再生するステレオタイプのイヤホンと、それぞれ色と外形との少なくとも一方が相違し、前記背面に個別に取付け可能な複数の識別突起からなる突起セットと、を具備し、前記左右一対のイヤホン本体の一方はが、前記突起セットから選択した１の識別突起を前記背面上に、前記前面から離隔する方向に突出させて取付けられるイヤホンセットが提供される。
【考案の効果】
【００１３】
本考案によると、左右一対のイヤホン本体の一方に設けられる識別突起は、イヤホン本体を耳に装着する際に把持する手の指に触れる位置にあり、識別突起が存在するか否かを触覚及び視覚のいずれでも極めて容易に認識することができ、しかも、どのような姿勢で装着しても耳殻等と干渉することもない。したがって、本考案によると、左右のイヤホン本体を直接対比して比較することなく容易に識別できるとともに、その操作性に優れたステレオタイプのイヤホンが提供される。
【００１４】
このような識別突起の外則面からの突出方向に沿う寸法が、これと交差する方向に沿う寸法よりも大きい細長形状を有し、この突出方向に沿う延長線が、イヤホン本体内で前記ケーブルの延長線と交差する方向に配置される場合には、ケーブルを辿って指をイヤホン本体側に滑らせることで、識別突起の有無が容易かつ確実に認識される。
【００１５】
一方、識別突起が放音側の前面から最も離隔した背面上の部位で、識別突起を囲む背面との間に、この背面側で最も大きな段差を形成する場合には、識別突起の有無を容易に認識できることに加え、ケーブルがこの突起に絡むこともない。
【００１６】
このような識別突起がイヤホン本体の一方にのみ一体に形成されることにより、長期にわたって確実に左右のイヤホン本体の識別性を維持することができる。
【００１７】
また、ステレオタイプのイヤホンと、それぞれ色と外形との少なくとも一方が相違し、前記背面に個別に取付け可能な複数の識別突起からなる突起セットと、を具備し、前記左右一対のイヤホン本体の一方が、前記突起セットから選択した１の識別突起を前記背面上に、前記前面から離隔する方向に突出させて取付けられるイヤホンセットの場合は、同じステレオタイプのイヤホンにおける左右のイヤホン本体の識別性及び操作性に優れるだけでなく、他のステレオタイプのイヤホンとの識別性にも優れ、装飾性も向上する。
【図面の簡単な説明】
【００１８】
【図１】本考案の実施形態によるイヤホンを示し、（Ａ）はイヤホン本体の放音側から見た状態の概略的な全体図、（Ｂ）は、イヤホン本体を、放音側に対して反対側に位置する外側面側から見た状態の図、（Ｃ）は、イヤホン本体を側面側から見た状態の図。
【図２】他の実施形態によるイヤホンのイヤホン本体を示す概略図。
【図３】イヤホン本体に取付ける、複数の突起をシート状に設けた状態の説明図。
【考案を実施するための形態】
【００１９】
図１は、本考案の実施形態によるイヤホン１０を示す。
【００２０】
図１示すように、本実施形態のイヤホン１０は、その形状からインナーイヤー型として形成してあり、左の耳に装着する左耳用のイヤホン本体１２と、右の耳に装着する右耳用のイヤホン本体１４とを備える。それぞれのイヤホン本体１２，１４は耳に入れる小さなスピーカ状部分１２ａ，１４ａと、このスピーカ状部分１２ａ，１４ａの縮径側から延びるアーム状部分１２ｂ，１４ｂをと有し、図１の（Ｃ）に示すように、側面から見たときにＬ字状を形成する。
【００２１】
各イヤホン本体１２，１４のアーム状部分１２ｂ，１４ｂからは、それぞれケーブル１６，１８が延びる。これらのケーブル１６，１８は、図示しないオーディオプレーヤ等の音響機器に電気的に接続されるプラグ２０ａを先端に有する主ケーブル２０から分岐している。音響機器からこれらの主ケーブル２０及び分岐ケーブル１６，１８を介して送られる電気信号は、それぞれのイヤホン本体１２，１４の内部に収容した発音装置により振動板を振動し、左右のイヤホン本体１２，１４のスピーカ状部分１２ａ，１４ａの拡径された前面２２ａ，２４ａから音が放出される。
【００２２】
図示のケーブル１６，１８は、主ケーブル２０から分岐した等しい長さの分岐ケーブルとして形成してあるが、これらの分岐ケーブル１６，１８の長さが相違するものであってもよいことは明らかである。また、これらのケーブル１６，１８には、主ケーブル２０の先端に取付けた接続プラグ２０ａに代えて、無線通信等の非接触手段を介して音響機器からの電気信号を伝達するものであってもよい。
【００２３】
イヤホン本体１２，１４の前面２２ａ，２４ａには、音を放出する多数の開口を形成してあり、この反対側である背面２２ｂ，２４ｂ側は音が逃げないように密閉構造に形成してあるが、例えばノイズキャンセル用のマイク（図示しない）等、必要な機能を付与するための部材を設けることも可能である。いずれの場合も、前面２２ａ，２４ａに対して反対側の背面２２ｂ，２４ｂは、本実施形態では滑らかな湾曲面により、同様な外形形状を形成している。なお、同様な外形形状とは、物理的に同一の形状だけでなく、相似形や対称形状等も含み、その基本的な形態に大きな差異がないことをいう。
【００２４】
これらの背面２２ｂ，２４ｂでは、前面２２ａ，２４ａに対してアーム状部１２ｂ，１４ｂが一側に変位した位置で前面２２ａ，２４ａから離隔する方向に延び、この後、図で見て下方に延びており、アーム状部１２ｂ，１ｂを摘まんだ状態で、前面２２ａ，２４ａを耳穴の内側に向け、スピーカ状部１２ａ，１４ａを側方から挿入し易く形成してある。これに代え、これらのアーム状部１２ｂ，１４ｂは、前面２２ａ，２４ａから見たときに、それぞれの対称軸を通るように配置してもよい。
【００２５】
図１の（Ｂ）および（Ｃ）に示すように、本実施形態では、右耳用のイヤホン本体１４の背面２４ｂ上に、その前面２４ａから離隔する方向に突出する識別突起２６を有している。図に示す識別突起２６は、例えば径が０．５ｍｍから３．０ｍｍ、背面２４ｂから突出する高さが１．０から５ｍｍ程度の円筒状形状に形成してあり、その存在がイヤホン１０を操作する者に視覚及び触覚の少なくとも一方の感覚を通じて直ちに容易に感得することができる大きさに形成してある。ここに、容易に感得することができるとは、左耳用のイヤホン保内１２と比較して判断することなく、右耳用イヤホン本体１４に接しただけで、背面２４ｂに識別突起２６が存在することを認識できる程度をいう。
【００２６】
この識別突起２６は、アーム部１４ｂの背面２４ｂ上で前面２４ａから最も離隔した位置に配置することが好ましい。識別突起２６をアーム部上に配置することにより、スピーカ状部の音質に影響を与えることがない。更に、操作する際、背面２４ｂ側を手前に向けてアーム状部１４ｂを親指と中指との間に把持し、耳穴にスピーカ部１４ｂを挿入しようとするときに、識別突起２６はこの操作の邪魔になることは全くない。逆に、識別突起２６を人差し指の先端に触れることで力を作用させる向きを調整しつつ操作することができる。
【００２７】
この識別突起２６は、イヤホン本体１４を耳に装着する際に把持する手の指に触れる位置にあり、識別突起２６が存在するか否かを触覚及び視覚のいずれでも極めて容易に認識することができる。しかも、どのような姿勢にイヤホン本体１４を装着しても、識別突起２６が耳殻等と干渉することもない。一方、このような識別突起を設けられていないイヤホン本体１２は、そのアーム部１２ｂを把持したときに、識別突起が存在しないことを視覚及び触覚のいずれを通じても容易に感得することができる。
【００２８】
特に、識別突起２６は、視覚によらずに触覚だけでもその存在の有無を確認することができるため、飛行機での移動中のように、狭く暗い場所で目で確認するのが困難な状況であっても、識別突起２６を手の触覚を通じで極めて簡単に左右のイヤホン本体１２，１４を識別し、左右の耳に正しく装着することができる。視力に障害がある場合でも、その操作性が低下することはない。
【００２９】
これにより、ステレオタイプのイヤホン１０は左右のイヤホン本体１２，１４を直接対比して比較することなく、左耳用のイヤホン本体１２と右耳用のイヤホン本体１４とを容易に識別できるとともに、その操作性を向上させた優れたものとすることができる。
【００３０】
この識別突起２６は、背面２４ｂからの突出方向に沿う寸法すなわち高さが、これと交差する方向に沿う寸法すなわち径よりも大きい円柱状の細長形状を有し、この突出方向に沿う延長線２６ａが、イヤホン本体１４内でケーブル１８の延長線１８ａと交差する方向に配置される場合には、ケーブル１８を辿って指をイヤホン本体側に滑らせることで、イヤホン本体１４が見えない位置にあっても、識別突起２６の有無を容易かつ確実に認識することができる。
【００３１】
また、識別突起２６は上述のような円筒状形状に代え、放音側である前面２４ａから最も離隔した背面２４ｂ上の部位で、識別突起２６を囲む背面２４ｂとの間に、この背面２４ｂ側で最も大きな段差で形成する階段状の突起であってもよい。特に、この階段状の識別突起が、この背面２４ｂ上で最も大きな段差を形成する場合には、識別突起２６の有無を容易に認識できることに加え、ケーブル１８がこの識別突起２６に絡むこともない。このような段差は、例えば０．５ｍｍ〜２．０ｍｍ程度の高低差を形成するものであってもよい。
【００３２】
このような階段状の識別突起２６は、イヤホン本体１４のハウジング構造部の成形の際に一体構造に形成することできる。イヤホン本体１４のハウジングと一体構造とすることにより、長期にわたって確実に左右のイヤホン本体１２，１４の識別性を維持することができる。細長円筒状の識別突起２６も、イヤホン本体１４のハウジング構造部を一体成形することにより、長期にわたって確実に左右のイヤホン本体１２，１４の識別性を維持することができる。この細長円筒状の識別突起２６は、指により強い刺激又は接触感を与えることができるため、背面２４ｂから突出した先端部を滑らかな湾曲面に形成しておくことが好ましい。
【００３３】
図２は、他の実施形態によるステレオタイプのイヤホン３０を示す。
【００３４】
イヤホン３０は、いわゆるカナル型であるが、基本的には上述の実施形態と同様であるため、右耳用である一方のイヤホン本体３２のみを示す。
【００３５】
図示の実施形態では、イヤホン本体３２は、平坦状の前面３４ａと、全体として略円筒状又は球状に湾曲した背面３４ｂとを有し、その前面３４ａにイヤチップ３６が取り付けられている。このイヤチップ３６は、例えばシリコンゴム等の柔軟な樹脂の弾性体で形成してあり、イヤホン本体３２の前面３４ａから突出するノズル（図示しない）に着脱自在に取付けられる。使用者は、このイヤチップ３６を耳穴に合う大きさのものに付け替えることが可能である。
【００３６】
分岐ケーブル３８は、イヤホン本体３２の背面３４ｂの中間位置から図の下方に延び、イヤホン本体３２に取付けられたスリーブ３８ａにより小さな半径で折り曲げられないように保護されている。もちろん、イヤホン本体３２は、上述の実施形態のようなアーム部を有するものであってもよい。
【００３７】
図示のイヤホン本体３２は、湾曲面で形成した背面３４ｂ上、前面３４ａの反対側に平坦状の識別面３３を形成し、この識別面３３から識別突起２６を、前面３４ａから離隔する方向に突出させてある。この識別突起２６も、この突出方向に沿う延長線が、イヤホン本体３２内でケーブル３８の延長線と交差する方向に配置されることにより、ケーブル３８に沿ってイヤホン本体３２側に指を滑らせたときに、容易に認識でき、装着したときに、耳に当たることもない。なお、識別面３３は、識別突起２６の位置を分かり易くするために平坦状に図示したものであり、周部の背面３２に連続する湾曲面で形成してもよい。
【００３８】
この識別突起２６は、上述の実施形態と同様に、イヤホン本体３２と一体構造に形成し、その形状を細長い円筒状に形成するだけでなく、背面３４ｂとの間に段差を形成する盛上げ状に形成することもできる。
【００３９】
一方、他方の左耳用イヤホン本体は、これと同様な外形形状に形成され、その背面には、上述の識別突起は設けられない。
【００４０】
これにより、上述の実施形態と同様に、イヤホン本体３２を耳に装着する際に把持する手の指に触れる位置にあり、識別突起２６が存在するか否かを触覚及び視覚のいずれでも極めて容易に認識することができる。しかも、どのような姿勢でイヤホン本体３２を装着しても、識別突起２６が耳殻等と干渉するなど、邪魔になることもない。
【００４１】
図３は、それぞれイヤホン本体に取付けることのできる複数の識別突起２６を備えた突起セット４０を例示する。これらの識別突起２６は、板状の取付部４２と一体に形成されており、この取付部４２を介してそれぞれイヤホン本体１４，３２の背面２４ｂ，３４ｂに取付けられる。図中、識別突起２６及び取付部４２は同様な形状で例示してあるが、これらの識別突起２６及び取付部４２は、色、模様及び外形の少なくとも一つが相違するように形成することが好ましい。
【００４２】
図示の突起セット４０は、３つの取付部４２を識別突起２６と共に連結材４４と一体に形成し、例えば取付部４２の周部に沿って形成した溝部４２ａから個別に分離することができるように、支持部材４６に保持してある。例えば、取付部４２及び連結材４４の裏面に接着剤層を形成し、支持台４６に形成した剥離面に積層しておくことができる。この場合には、突起セット４０から選択した識別突起２６及び取付部４２を必要に応じて連結材４４から分離し、所要のイヤホン本体の裏面に貼着することができる。
【００４３】
また、取付部４２は、板状形状に代え、イヤホン本体の裏面形状に合致する立体形状に形成してもよい。このような識別突起２６は支持台を用いることなく、複数個を纏めて袋入りセット（図示しない）とすることも可能である。
【００４４】
いずれの場合も、支持台４６で保持した突起セット４０又は袋入りの突起セットを、ステレオタイプのイヤホンと組み合わせることにより、突起セットから選択した突起２６を例えば右耳用のイヤホン本体の背面に、前面から離隔する方向に突出させて取付けることができる。
【００４５】
これにより、同一のステレオタイプのイヤホンにおける左右のイヤホン本体の識別性及び操作性に優れるだけでなく、他のステレオタイプのイヤホンとの識別性にも優れ、装飾性も向上させることができる。
【００４６】
以上、本考案の種々の実施形態について説明したが、上述の説明は例示であり、種々の変更又は変形が可能なことは明らかである。例えば、突起２６は、イヤホン本体と別体に形成し、イヤホン本体に形成した取付穴に圧入又は螺合することも可能である。
【符号の説明】
【００４７】
１０，３０…イヤホン、１２，１４，３２…イヤホン本体、２２ａ，２４ａ，３４ａ…前面、２２ｂ，２４ｂ，３４ｂ…裏面、１６，１８，３８…ケーブル、２６…識別突起、４０…突起セット
【図１】
0003191798.tif 000003
【図２】
0003191798.tif 000004
【図３】
0003191798.tif 000005